(57)【要約】【課題】  使用者の体格に合致するサイズを選定可能であるとともに使用者の嗜好を反映し、また、操作性が良好で初心者から上級者まで広く使用でき、廃材を利用して安価なジャグリング用具を容易に作製できるジャグリング用具キットを提供することである。【解決手段】  少なくとも一の細長の中心棒１０と、一の端部が把持可能で細長の一対の操作棒１１ａ，１１ｂと、中心棒１０及び一対の操作棒１１ａ，１１ｂに巻着可能な弾性部材６，８ａ，８ｂと、中心棒１０の両端部に固設可能な一対の装飾部材５ｃ，５ｄとを有するものである。【選択図】  図２
0003128691.tif 000002
【実用新案登録請求の範囲】
【請求項１】
少なくとも一の細長の中心棒と、一の端部が把持可能で細長の一対の操作棒と、前記中心棒及び／又は前記一対の操作棒に巻着可能な弾性部材と、前記中心棒の両端部に固設可能な一対の装飾部材とを有することを特徴とするジャグリング用具キット。
【請求項２】
少なくとも一の細長の中心棒と、一の端部が把持可能で細長の一対の操作棒と、前記中心棒及び／又は前記一対の操作棒に巻着可能な弾性部材と、前記中心棒の両端部に装着可能な一対の装飾部材とを有するジャグリング用具キットであって、前記中心棒の両端部にはネジ部が形成され、この両端部のネジ部にそれぞれ挿通され前記中心棒の両端部を覆うカバー部材と、このカバー部材とで前記装飾部材を挟みつつ前記ネジ部に螺合するストッパとを有することを特徴とするジャグリング用具キット。
【請求項３】
前記中心棒の略中心に貼着可能なシールを備えることを特徴とする請求項１又は請求項２に記載のジャグリング用具キット。
【請求項４】
前記中心棒をシリコンゴムで被覆することを特徴とする請求項１乃至請求項３のいずれか１項に記載のジャグリング用具キット。
【請求項５】
前記中心棒は、両端部から中央部にかけて縮径することを特徴とする請求項１乃至請求項４のいずれか１項に記載のジャグリング用具キット。
【請求項６】
前記中心棒及び前記一対の操作棒は竹の廃材から成り、前記弾性部材はゴムの廃材から成り、前記装飾部材は合成樹脂製の廃材から成ることを特徴とする請求項１乃至請求項５のいずれか１項に記載のジャグリング用具キット。
【考案の詳細な説明】
【技術分野】
【０００１】
本考案は、ジャグリング用具を作製するためのキットに関する。
【背景技術】
【０００２】
一般に、ジャグリングとは、動力のない複数の道具を手や足等の肉体を使って空中に投げ続ける動作を行うものであり、ジャグリング用具等を用いて多種多様の技を習得することができ、近年、一つのスポーツとして普及し、数多くの愛好家が存在している。また、ジャグリング用具には、ボール、ディアボロ、リング、クラブ、シガーボックス、デビルスティック及びフラワースティック等の様々な種類のものがあり、これらのジャグリング用具の多くは市販されている。しかしながら、市販されるジャグリング用具は、サイズや重量が一定であり、使用者の体格に必ずしも合致するものではないので、使用者は扱い難いジャグリング用具を使用せざるを得ないというのが実情である。また、市販のジャグリング用具を利用して独自の技を考案することもあり、この場合、必ずしも市販品が技の習得等に適したものではなかった。このような状況を踏まえてこれまでに様々なジャグリング用具が考えられている。
【０００３】
例えば、特許文献１には、「パフォーマンス用遊具」という名称で、掌に載せて投げたり、回転させたりする動作を容易に行うことができるパフォーマンス用遊具に関する発明が開示されている。
この特許文献１に開示された発明は、長さ５０〜７０ｃｍで、重さ１００〜２００ｇの木材又は金属又はゴム又はプラスチックを用いた丸棒で、両端部が布、ゴム及びプラスチックのうちの少なくともいずれかを用いて被覆されているものである。
この遊具では、バランス性と操作性を兼ね備える適切な長さと、連続での操作性や怪我のリスクを考慮して重過ぎず、一方で、屋外での風の影響を受けない程度に軽過ぎない重さを設定しているので、掌上でバランスを取ったり、投げたり、回転させたりすることを容易に行うことができる。また、直接掌に接触する両端部にはカバーが設置されているので、掌を怪我することなく安全性が高いものになっている。そして、デビルスティックのセンタースティックやハンドスティックを用いた場合に比べると、操作性が著しく向上しており、様々なパフォーマンスの展開が可能となっている。
【特許文献１】特開２００４−３９３号公報
【考案の開示】
【考案が解決しようとする課題】
【０００４】
しかしながら、上述の従来技術である特許文献１に開示された発明は、長さや重さに適正範囲が示されているものの、様々な体格の使用者に対して検討されておらず、厳密には使用者の体格に合致したものとはいえないという課題があった。また、簡単な構成であるが、使用者自身が作製する方法についての思想は開示されていない。
【０００５】
本考案はかかる従来の事情に対処してなされたものであり、使用者の体格に合致するサイズを選定可能であるとともに使用者の嗜好を反映し、また、操作性が良好で、老若男女を問わず初心者から上級者まで広く使用でき、廃材を利用して安価なジャグリング用具を容易に作製できるジャグリング用具キットを提供することを目的とする。
【課題を解決するための手段】
【０００６】
上記目的を達成するため、請求項１記載の考案であるジャグリング用具キットは、少なくとも一の細長の中心棒と、一の端部が把持可能で細長の一対の操作棒と、中心棒及び／又は一対の操作棒に巻着可能な弾性部材と、中心棒の両端部に固設可能な一対の装飾部材とを有するものである。
このような構成のジャグリング用具キットによれば、両端部に一対の装飾部材が施された中心棒と一対の操作棒の少なくとも一方に弾性部材が巻着されるように作製され、弾性部材は、中心棒と一対の操作棒の接触時に反発力や摩擦を大きくするように作用し、一対の装飾部材は空気抵抗を大きくして中心棒の移動速度を遅くするように作用する。
【０００７】
また、請求項２記載の考案は、少なくとも一の細長の中心棒と、一の端部が把持可能で細長の一対の操作棒と、中心棒及び／又は一対の操作棒に巻着可能な弾性部材と、中心棒の両端部に装着可能な一対の装飾部材とを有するジャグリング用具キットであって、中心棒の両端部にはネジ部が形成され、この両端部のネジ部にそれぞれ挿通され中心棒の両端部を覆うカバー部材と、このカバー部材とで装飾部材を挟みつつネジ部に螺合するストッパとを有するものである。
このような構成のジャグリング用具キットにおいては、請求項１に記載の考案と同様に、両端部に一対の装飾部材が施された中心棒と一対の操作棒の少なくとも一方に弾性部材が巻着されるように作製され、中心棒と一対の操作棒の接触時に弾性部材は両者間の摩擦を大きくするように作用し、また、一対の装飾部材は空気抵抗を大きくして中心棒の移動速度を遅くするように作用する。さらに、中心棒の両端部のネジ部とストッパは一対の装飾部材を着脱可能に固定するように作用し、カバーは中心棒の両端部を保護するように作用する。
【０００８】
そして、請求項３記載の考案は、請求項１又は請求項２に記載のジャグリング用具キットにおいて、中心棒の略中心に貼着可能なシールを備えるものである。
このような構成のジャグリング用具キットにおいては、請求項１又は請求項２に記載の考案の作用に加えて、貼着されるシールは中心棒の略中心を視認可能とする。
【０００９】
また、請求項４記載の考案は、請求項１乃至請求項３のいずれか１項に記載のジャグリング用具キットにおいて、中心棒をシリコンゴムで被覆するものである。
このような構成のジャグリング用具キットにおいては、請求項１乃至請求項３のいずれか１項に記載の考案の作用に加えて、シリコンゴムは中心棒を保護するとともに中心棒と一対の操作棒の接触時に両者間の摩擦を大きくするように作用する。
【００１０】
また、請求項５記載の考案は、請求項１乃至請求項４のいずれか１項に記載のジャグリング用具キットにおいて、中心棒は、両端部から中央部にかけて縮径するものである。
このような構成のジャグリング用具キットにおいては、請求項１乃至請求項４のいずれか１項に記載の考案の作用に加えて、中心棒は、中心と両端部で重量差を生じ、中心から両端部になるほど重くなって回転モーメントを大きくするという作用を有する。また、中心棒の太い両端部はハンドスティックが引っ掛かり易くなるように作用する。
【００１１】
最後に、請求項６記載の考案は、請求項１乃至請求項５のいずれか１項に記載のジャグリング用具キットにおいて、中心棒及び一対の操作棒は竹の廃材から成り、弾性部材はゴムの廃材から成り、装飾部材は合成樹脂製の廃材から成るものである。
このような構成のジャグリング用具キットにおいては、請求項１乃至請求項５のいずれか１項に記載の考案の作用に加えて、中心棒、一対の操作棒、弾性部材及び装飾部材は廃材の特性が発揮されるという作用の他、材料の調達を容易にするという作用を有する。
【考案の効果】
【００１２】
以上説明したように、本考案の請求項１に記載のジャグリング用具キットにおいては、中心棒と一対の操作棒の少なくとも一方に弾性部材を巻着することで、中心棒と一対の操作棒の接触時の摩擦が大きくなるジャグリング用具が作製でき、このジャグリング用具を用いると、一対の操作棒から中心棒が滑り落ちることなく、操作性が向上するので、初心者でも容易に扱え、また、難しい技等の修得が容易となる。また、中心棒の両端部に設置される装飾部材によって中心棒の移動速度が遅くなるので、練習し易く、初心者から上級者まで広範囲を対象としたジャグリング用具を提供することが可能である。さらに、中心棒や一対の操作棒は大きさや素材を自由に選定できるので、使用者に適したジャグリング用具を作製することができる。
【００１３】
また、本考案の請求項２に記載のジャグリング用具キットにおいては、請求項１に記載のジャグリング用具キットの効果に加えて、装飾部材が着脱可能であるので、装飾部材は交換可能であり、使用者の嗜好に合わせて選定することができる。また、カバーによって中心棒の両端部と装飾部材の一端部は保護され、さらに、カバーに意匠性を付与すると、使用者の嗜好をさらに反映することができる。
【００１４】
そして、本考案の請求項３に記載のジャグリング用具キットにおいては、中心棒の略中心がシールによって明確となるので、ジャグリング操作においてバランスが取り易いジャグリング用具を作製できる。
【００１５】
また、本考案の請求項４に記載のジャグリング用具キットにおいては、中心棒全体がシリコンゴムで被覆されるので、いずれの位置でハンドスティックと接触しても滑りにくい構造となり、また、中心棒は保護されるので使用寿命が長くなる。
【００１６】
また、本考案の請求項５に記載のジャグリング用具キットにおいては、中心棒は、中心から両端部になるほど重くなるので回転モーメントが大きくなり、回転が安定し、また、両端部が太くなるのでハンドスティックが引っ掛かり易く、ジャグリング操作が容易になる。
【００１７】
最後に、本考案の請求項６に記載のジャグリング用具キットによれば、中心棒、一対の操作棒、弾性部材及び装飾部材に廃材を利用することによって、身近に存在する道具を使って手軽にジャグリング用具を作製でき、また、廃材を無駄にせず再利用でき、しかも、ほとんど費用がかからないという利点がある。
【考案を実施するための最良の形態】
【００１８】
以下に、本考案に係るジャグリング用具キットの最良の実施の形態を図１乃至図４に基づき説明する。（請求項１、請求項３及び請求項６に対応）
図１は、本考案の本実施の形態に係るジャグリング用具キットを組み立てたジャグリング用具の概念図である。
図１において、フラワースティック２はジャグリング用具の一つであり、両端部に飾り房５ａ，５ｂを備えたセンタースティック３と、一対のハンドスティック４ａ，４ｂから構成されている。このフラワースティック２は、基本的には、使用者が両手でハンドスティック４ａ，４ｂをそれぞれ把持し、センタースティック３をハンドスティック４ａ，４ｂで交互に叩いてセンタースティック３を空中に浮かし続けるというジャグリングに用いられる用具である。他にも、一本のハンドスティック４ａ又はハンドスティック４ｂでセンタースティック３を回転させたりするなど様々な技を行うのに適している。
センタースティック３には、ほぼ全体にゴム６が巻着され、略中心にはシール７が貼着されている。ゴム６は、センタースティック３とハンドスティック４ａ及びハンドスティック４ｂとの接触時に両者を滑りにくくしてジャグリング操作を容易にするためのものであり、ハンドスティック４ａ，４ｂの把持部９ａ，９ｂ以外の部位にも同様にゴム８ａ，８ｂが巻着されている。なお、センタースティック３及び一対のハンドスティック４ａ，４ｂに用いる芯棒は、丸棒であれば特に材質は限定されず、木材やプラスチックやこれらの廃材を使用できる。また、ゴム６及びゴム８ａ，８ｂについては、摩擦係数の高い弾性部材が好ましく、特にゴムの種類は限定されず、天然ゴムや合成ゴムを用いることができる。さらに、自転車のタイヤチューブ等の廃材を利用すると材料を調達し易く、廃材の再利用を促進することが可能である。加えて、ハンドスティック４ａ，４ｂは把持部９ａ，９ｂも含めて全体にゴム８ａ，８ｂが巻着された構造であっても良い。また、ハンドスティック４ａ，４ｂとセンタースティック３はゴム８ａ，８ｂが一方向に傾斜させた状態で巻着された構造であっても良いし、図１のセンタースティック３に示すようにゴム８ａ，８ｂが互いに交差するように巻着された構造としても良い。さらに、飾り房５ａ，５ｂは自由端が斜めにカットされた状態であっても良いし、固定端がセンタースティック３側に一部が突出した状態であっても良い。
【００１９】
そして、飾り房５ａ，５ｂはセンタースティック３が空中で移動する際の空気抵抗を大きくするので、センタースティック３の移動速度が遅くなり、初心者でも容易にフラワースティック２を扱うことができ、ジャグリングの技の早期習得が可能になっている。なお、飾り房５ａ，５ｂには、布、合成繊維及びプラスチック等を用いることができ、空気抵抗がより大きくなるような形状や材料を用いるとよい。さらに、家庭用品の廃材や不用な衣類等を利用してもよい。
また、シール７は、センタースティック３の略中心を示すので、使用者はシール７を目安にしてバランスよくジャグリング操作を行うことができる。
なお、図示していないが、センタースティック３の両端部には錘が設置されており、この両端部の錘によってセンタースティック３の回転モーメントが大きくなる。これにより、ジャグリング操作時に要する力が大きくなるもののセンタースティック３の回転は安定する。
【００２０】
次に、本実施の形態に係るジャグリング用具キットについて図２を用いて説明する。
図２は、本実施の形態に係るジャグリング用具キットの概念図である。
図２において、ジャグリング用具キット１には、センタースティック用竹１０、ハンドスティック用竹１１ａ，１１ｂ、ゴム６、ゴム８ａ，８ｂ、錘用ゴム１２ａ，１２ｂ、飾り房用プラスチック材５ｃ，５ｄ及びシール７が備わっている。
センタースティック用竹１０は、センタースティックの芯棒になるものであり、また、ハンドスティック用竹１１ａ，１１ｂはハンドスティックの芯棒になるものであり、いずれも竹の廃材を利用している。なお、センタースティック用竹１０及びハンドスティック用竹１１ａ，１１ｂの長さは、使用者の体格や目的に合わせて自由に選定して調整するとよい。
また、ゴム６はセンタースティック用竹１０に巻着して滑り止め材として機能し、同様に、ゴム８ａ，８ｂはハンドスティック用竹１１ａ，１１ｂにそれぞれ巻着して滑り止め材として機能する。そして、錘用ゴム１２ａ，１２ｂは、センタースティック用竹１０の両端部に巻回してセンタースティックの中心部よりも両端部を重くしてセンタースティックの回転を安定させるための錘となる。これらのゴムには、不用な自転車のタイヤチューブを利用しており、このタイヤチューブを切り開いて適当な大きさに裁断している。
そして、センタースティックの両端部に房状になるように固定される飾り房用プラスチック材５ｃ，５ｄは空気抵抗を大きくしてセンタースティックの移動速度を遅くするものであり、不用な家庭用品の合成樹脂製の敷マットを櫛形状に裁断したものである。
最後に、シール７はゴム６を巻着したセンタースティック用竹１０の略中心に貼着して中心部を明示するものであり、貼着可能なものであればどのようなものでも使用できる。例えば、光沢があるものを使用すると、ジャグリング操作中にセンタースティックが動いていても容易に視認できるので効果的である。
【００２１】
続いて、本実施の形態に係るジャグリング用具キットを用いてフラワースティックを作製する方法について、図３及び図４を用いて説明する。
まず、センタースティックの作製方法について説明する。
図３（ａ）乃至（ｈ）は、本実施の形態に係るジャグリング用具キットを用いてセンタースティックを作製する方法を説明するための概念図である。
図３（ａ）において、センタースティックを作製するにあたっては、最初に、センタースティック用竹１０にゴム６を巻着していく。この際、巻き始めの一端部では、ゴム６を１周余分に巻き付けて強固に固定するとよい。そして、ゴム６を強く引っ張りながら少し間が空くようにして螺旋状に巻着する。
次に、図３（ｂ）において、巻着するゴム６がセンタースティック用竹１０の他端部に達したら一端部と同様に他端部において１周余分に巻き付けて折り返し、逆方向に向かって既に巻着されているゴム６にクロスするように再び螺旋状に巻着する。このようにゴム６をクロスさせて段差を形成することにより、ハンドスティックが引っ掛かり易い構造となる。
そして、図３（ｃ）において、ゴム６がセンタースティック用竹１０の一端部に戻ったら、一端部で１周余分にゴム６を巻き付けて余ったゴム６を切断してビニールテープで固定する。さらに、図３（ｄ）において、両端部にビニールテープを巻いて補強する。
なお、本実施の形態においては、ゴム６をクロスするように螺旋状に巻着したが、他端部に達したら、そこで、折り返すことなく両端部をビニールテープで補強してもよい。
【００２２】
続いて、図３（ｅ）において、センタースティック用竹１０の両端部それぞれに、錘用ゴム１２ａ，１２ｂを巻回する。錘用ゴム１２ａ，１２ｂは強く引っ張りながら巻回して終端をビニールテープで固定する。ここで、センタースティック用竹１０の両端部が均等な重さになるようにする。
次に、図３（ｆ）では、図３（ｅ）において設置した錘用ゴム１２ａの周囲に飾り房用プラスチック材５ｃを巻き付けてビニールテープで固定する。なお、図中の飾り房５ｂは既に固定したもので、飾り房用プラスチック材５ｃの場合と同様に錘用ゴムの周囲に巻き付けてビニールテープで固定している。
最後に、図３（ｇ）において、センタースティック用竹１０の略中心を指等で支えて釣り合いを取り、重心にシール７を貼着する。以上の作業により、図３（ｈ）に示すようなセンタースティック３が完成する。
【００２３】
次に、ハンドスティックの作製方法について説明する。
図４（ａ）乃至（ｃ）は、本実施の形態に係るジャグリング用具キットを用いてハンドスティックを作製する方法を説明するための概念図である。
まず、図４（ａ）において、ハンドスティック用竹１１ａの一端部にゴム８ａを１周余分に巻き付けて固定し、螺旋状にゴム８ａを重ねながら巻着する。
次に、図４（ｂ）において、ハンドスティック用竹１１ａの他端部から１０〜１５ｃｍ程度残してゴム８ａの巻着を止め、１周余分に巻き付けてビニールテープで固定して、１本のハンドスティック４ａが完成する。
そして、図４（ｃ）に示すように、ハンドスティック用竹１１ｂについても、ハンドスティック用竹１１ａの場合と同様にゴム８ｂを巻着すると、もう１本のハンドスティック４ｂが完成し、一対のハンドスティック４ａ，４ｂとなる。なお、ゴム８ａ，８ｂを巻着しない部分は把持部９ａ，９ｂで、使用者が両手で把持してハンドスティックを操作するためのものである。また、これらの把持部９ａ，９ｂには把持操作の邪魔にならない程度に自由に装飾を施すことができる。
なお、本実施の形態に係るハンドスティック４ａ，４ｂにおいては、ゴム８ａ，８ｂの巻着を螺旋状に１周のみ実施したが、先のセンタースティック３のように、他端部から１０ｃｍ〜１５ｃｍ程度残した箇所から、さらに、一端部に向けてクロスさせながら、巻着してもよい。その際には、予め最初の巻着を少し間を空けるようにして巻着するとよい。
【００２４】
このように構成された本実施の形態では、使用者の体格や使用目的に合致し、また、使用者の嗜好を反映するとともに滑り難く操作性の高いジャグリング用具の作製が可能である。そして、廃材を利用することができるので、不用物の再利用によって環境性を考慮し、使用者は身近なものを使用して簡単かつ安価にジャグリング用具を作製することができる。
【００２５】
次に、本考案に係るジャグリング用具キットの第２の実施の形態を図５に基づき説明する。（請求項２、請求項４及び請求項６に対応）
図５（ａ）乃至（ｃ）は、本考案の第２の実施の形態に係るジャグリング用具キットのセンタースティックの概念図である。
図５（ａ）において、センタースティック１３は、棒部１４の両端部に着脱可能な飾り房１６ａ，１６ｂを備えるものである。棒部１４の一端部にはネジ部１５が形成されており、このネジ部１５にカバー１７ｂを挿通させた後、飾り房１６ｂが装着され、ストッパ１８ｂをネジ部１５に螺合することにより、飾り房１６ｂは挟まれて固定される構造になっている。一方、棒部１４の他端部では、装着されたカバー１７ａと飾り房１６ａを示しており、図示していないが、他端部には一端部と同様にネジ部が形成されている。なお、カバー１７ｂや飾り房１６ｂもネジ部１５に螺合させてもよいし、ネジ部１５とストッパ１８ｂの接合は螺合ではなく、嵌合するようにしてもよい。
また、図５（ｂ）では、棒部１４はチューブ形状のシリコンゴム２０に芯棒１９を挿通して芯棒１９全体をシリコンゴム２０で被覆しており、芯棒１９はシリコンゴム２０によって保護されるとともに、ジャグリング操作時にいずれの位置でハンドスティックと接触しても摩擦を生じ、滑り難い構造になっている。
さらに、図５（ｃ）に示すように、棒部１４にはゴム２１を巻着することもでき、ゴム２１の巻着によってさらに滑り難くなるとともに、図５（ｂ）のシリコンゴム２０の外周に巻くことで、ゴム２１との二重構造によって弾性が増し、ハンドスティックによる打撃でセンタースティック１３は弾み易くなる。なお、シリコンゴム２０は、表面に突起、筋や溝あるいは凸凹等の形状を形成してもよい。
また、センタースティック１３において、芯棒１９にはスポーツカイトの骨組み、アイダモの木、楽器用木材やポリカーボネート等を用いることができ、さらには、これらの廃材や竹の廃材を使用できる。そして、ゴム２１にはゴムの廃材を、飾り房１６ａ，１６ｂには合成樹脂の廃材を用いることができる。
【００２６】
本第２の実施の形態においては、飾り房１６ａ，１６ｂが着脱自在に設置できるので、左右を別の形状のものにしたりするなど、使用者の嗜好に合った飾り房を自由に選定することができる。また、カバー１７ａ，１７ｂも意匠を施すことができるので、さらに、使用者の趣味や嗜好を活かした独自のセンタースティック１３を作製できる。
そして、棒部１４はシリコンゴム２０によって被覆されているので、ジャグリング操作時には滑り難く、芯棒１９は保護されてハンドスティックの打撃によっても容易には破損せず、使用寿命が長くなる。
【００２７】
次に、本考案に係るジャグリング用具キットの第３の実施の形態を図６に基づき説明する。（請求項２及び請求項５に対応）
図６（ａ）乃至（ｃ）は、本考案の第３の実施の形態に係るジャグリング用具キットのセンタースティックの概念図である。
図６（ａ）において、センタースティック２２では、棒部２３が両端部から中央部にかけて縮径した形状を有し、飾り房２４ａが着脱自在となっている。図示するような棒部２３の形状では、中央部と両端部で重量差を生じ、中央部よりも両端部の方が重くなるので、回転モーメントが大きくなり、センタースティック２２の回転が安定したものとなる。また、ハンドスティックによる引っ掛かりも良好となる。そして、棒部２３の両端部に形状が異なる飾り房を選定した場合の重量差は棒部２３の形状による重量差によって解消することができる。
また、図６（ｂ）では、棒部２３には様々な滑り止め加工を施しており、ジャグリング操作時にハンドスティックにセンタースティック２２が引っ掛かり易くなっている。この滑り止め加工には、ゴム２７を巻着する方法、シリコンゴム２８で被覆する方法、さらに、図６（ｃ）に示すように、筋や溝などの彫刻２９を施してシリコン等でコーティングする方法や突起物３０を設置する方法などがある。これらの滑り止め加工は、左右が同じになるように施してもよいが、左右が異なるように施すこともできる。なお、ゴム２７を巻着する方法では、ゴム２７以外にも、布やビニールや紙等やこれらの廃材を用いることもできる。
【００２８】
そして、図６（ｂ）に示される棒部２３の一端部では、飾り房２４ｂは、第２の実施の形態の場合と同様に、棒部２３の一端部に形成されるネジ部（図示せず）に挿通されるカバー２５ｂと螺合されるストッパ（図示せず）に挟持されて固定されている。また、図６（ａ）に示される棒部２３の他端部では、構成部材を分解して示しているが、棒部２３の他端部に形成されるネジ部（図示せず）にカバー２５ａが挿通された後、飾り房２４ａが装着され、そして、ストッパ２６ａをネジ部に螺合されるものである。
さらに、図６（ｂ）の棒部２３の他端部にはアクセント３７が施されている。このアクセント３７は棒部２３に直接彫刻したものであり、棒部２３を装飾しジャグリング操作時のセンタースティック２２に彩りを与えるものである。なお、アクセント３７は棒部２３の他端部だけでなく、一端部にも施してもよく、また、彫刻して装飾したリング状の部材を棒部２３の端部に嵌合するように構成してもよい。
【００２９】
本第３の実施の形態においては、棒部２３の形状を工夫することによって、ジャグリング操作時のセンタースティック２２の回転を安定させることができる。また、棒部２３には意匠性の高い滑り止め加工を施したり、着脱自在な飾り房２５ａ，２５ｂを自由に選定したり、アクセント３７を設置したりすることができるので、使用者の嗜好を反映した固有のセンタースティック２２を作製することができる。
【００３０】
最後に、ハンドスティックの変形例について図７を参照して説明する。
図７（ａ），（ｂ）は、ハンドスティックの変形例を示す概念図である。
図７（ａ）において、ハンドスティック３１は、センタースティックを操作する操作部分にはゴム３２が巻着され、使用者が把持する把持部にはグリップ３３が設置されている。また、ハンドスティック３１は、芯棒３６をチューブ状のシリコンゴム３４で被覆し、さらに、両端部を配色等で意匠性を備える止め具３５ａ，３５ｂで固定して、シリコンゴム３４から芯棒３６が抜脱しないように構成されている。
したがって、ハンドスティック３１では、芯棒３６がシリコンゴム３４で保護されているので損傷し難く、また、止め具３５ａ，３５ｂの設置によって繰り返しのジャグリング操作においても芯棒３６がシリコンゴム３４から突出することがなく、耐久性を備えている。
そして、図７（ｂ）に示されるように、さらに、最表面にゴム３２を巻着させることで、センタースティックが滑り難く、また、ゴム３２とシリコンゴム３４の二重にすることによって弾性に富み、センタースティックを弾み易くすることができる。さらに、グリップ３３を設けることによって使用者はハンドスティック３１を把持しても疲労し難く、長時間の練習を可能にしている。また、グリッブ３３に突起を設けることによって使用者の掌の血行を良好にする効果も得られる。
【産業上の利用可能性】
【００３１】
以上説明したように、請求項１乃至請求項６に記載された本考案は、ジャグリングの操作性が良好で使用者の嗜好を含み手軽に作製できるジャグリング用具キットを提供可能であり、個人や関連施設等において利用可能である。また、種々のイベントや催しにおいて本ジャグリング用具キットを用いて、ジャグリング用具を実際に作製し、その後に自分で作製したジャグリング用具でジャグリングの練習を行うことができるので、イベント用のグッズや販促活動においても利用可能である。
【図面の簡単な説明】
【００３２】
【図１】本考案の本実施の形態に係るジャグリング用具キットを組み立てたジャグリング用具の概念図である。
【図２】本実施の形態に係るジャグリング用具キットの概念図である。
【図３】（ａ）乃至（ｈ）は本実施の形態に係るジャグリング用具キットを用いてセンタースティックを作製する方法を説明するための概念図である。
【図４】（ａ）乃至（ｃ）は本実施の形態に係るジャグリング用具キットを用いてハンドスティックを作製する方法を説明するための概念図である。
【図５】（ａ）乃至（ｃ）は本考案の第２の実施の形態に係るジャグリング用具キットのセンタースティックの概念図である。
【図６】（ａ）乃至（ｃ）は本考案の第３の実施の形態に係るジャグリング用具キットのセンタースティックの概念図である。
【図７】（ａ）及び（ｂ）はハンドスティックの変形例を示す概念図である。
【符号の説明】
【００３３】
１…ジャグリング用具キット  ２…フラワースティック  ３…センタースティック  ４ａ，４ｂ…ハンドスティック  ５ａ，５ｂ…飾り房  ５ｃ，５ｄ…飾り房用プラスチック材  ６…ゴム  ７…シール  ８ａ，８ｂ…ゴム  ９ａ，９ｂ…把持部  １０…センタースティック用竹  １１ａ，１１ｂ…ハンドスティック用竹  １２ａ，１２ｂ…錘用ゴム  １３…センタースティック  １４…棒部  １５…ねじ部  １６ａ，１６ｂ…飾り房  １７ａ，１７ｂ…カバー  １８ｂ…ストッパ  １９…芯棒  ２０…シリコンゴム  ２１…ゴム  ２２…センタースティック  ２３…棒部  ２４ａ，２４ｂ…飾り房  ２５ａ，２５ｂ…カバー  ２６ａ…ストッパ  ２７…ゴム  ２８…シリコンゴム  ２９…彫刻  ３０…突起物  ３１…ハンドスティック  ３２…ゴム  ３３…グリップ  ３４…シリコンゴム  ３５ａ，３５ｂ…止め具  ３６…芯棒  ３７…アクセント
【図１】
0003128691.tif 000003
【図２】
0003128691.tif 000004
【図３】
0003128691.tif 000005
【図４】
0003128691.tif 000006
【図５】
0003128691.tif 000007
【図６】
0003128691.tif 000008
【図７】
0003128691.tif 000009